(57)【特許請求の範囲】
【請求項１】
カラオケ曲を演奏するための楽曲データを記憶するとともに、各楽曲データの種類または特徴を示すインデックスデータを記憶する楽曲データ記憶手段と、
楽曲データを用いてカラオケ曲を演奏するカラオケ演奏手段と、
前記楽曲データ記憶手段に記憶されている全楽曲データのなかから一部の楽曲データを抽出するための抽出条件として前記インデックスデータが記録されるとともに該抽出条件に関連した画像が印刷された選曲カードを読み取るカード読取手段と、
該カード読取手段が読み取った抽出条件に基づいて前記楽曲データ記憶手段に記憶されている楽曲データから前記抽出条件に合致した楽曲データを抽出して表示する検索手段と、
を備えたことを特徴とするカラオケ装置。
【請求項２】
請求項１のカラオケ装置に用いられ、前記カラオケ装置の楽曲データ記憶手段に記憶されている全楽曲データのなかから一部の楽曲データを抽出するための抽出条件が前記カラオケ装置に読み取り可能に記録されたエリア、該抽出条件に関連した画像が印刷されたエリア、および、前記抽出条件の文言が印刷されたエリアを有する選曲用カード媒体。
【発明の詳細な説明】
【０００１】
【発明の属する技術分野】
この発明は、カラオケ装置に対して選曲機能を有する選曲用カード媒体および該カード媒体を用いて選曲をすることができるカラオケ装置に関する。
【０００２】
【従来の技術】
現在カラオケ装置で歌唱可能な曲数は１万数千曲あり、さらに毎月数十曲程度ずつ増加している。これらのカラオケ曲は曲番号で指定することができ、全てのカラオケ曲の曲名と曲番号を記載した冊子（目次本）がカラオケ装置に付属している。一方、スポーツ選手，芸能人，アニメキャラクタなどの写真を印刷したトレーディングカードを収集することが若者たちの間で流行している。
【０００３】
【発明が解決しようとする課題】
上記目次本は極めて分厚い冊子であり、このなかから自分の歌いたいカラオケ曲を探すのは大変な作業である。その一方で、トレーディングカードを収集している若者は、自分がカラオケで歌いたい歌手のカードは収集していることが多い。
【０００４】
この発明は、選曲機能を有するトレーディングカードなどの選曲用カード媒体および該カード媒体でカラオケ曲のリクエストができるようにしたカラオケ装置を提供することを目的とする。
【０００５】
【課題を解決するための手段】
この出願の請求項１の発明は、カラオケ曲を演奏するための楽曲データを記憶するとともに、各楽曲データの種類または特徴を示すインデックスデータを記憶する楽曲データ記憶手段と、楽曲データを用いてカラオケ曲を演奏するカラオケ演奏手段と、前記楽曲データ記憶手段に記憶されている全楽曲データのなかから一部の楽曲データを抽出するための抽出条件として前記インデックスデータが記録されるとともに該抽出条件に関連した画像が印刷された選曲カードを読み取るカード読取手段と、該カード読取手段が読み取った抽出条件に基づいて前記楽曲データ記憶手段に記憶されている楽曲データから前記抽出条件に合致した楽曲データを抽出して表示する検索手段と、を備えたことを特徴とする。
【０００６】
この出願の請求項２の発明は、請求項１のカラオケ装置に用いられ、前記カラオケ装置の楽曲データ記憶手段に記憶されている全楽曲データのなかから一部の楽曲データを抽出するための抽出条件が前記カラオケ装置に読み取り可能に記録されたエリア、該抽出条件に関連した画像が印刷されたエリア、および、前記抽出条件の文言が印刷されたエリアを有することを特徴とする。
【０００７】
この発明では、トレーディングカードなどのカード媒体を選曲カードとして使用する。選曲データとしてはリモコン装置でカラオケ曲をリクエストするときに使用する曲番号のほか、ある条件の曲検索するための検索データ（たとえば「歌手○○の新曲」等）などを用いることができる。このように特定のカラオケ曲を選曲するための選曲データをカード媒体に記録し、この選曲データに関連した画像をカードに印刷する。関連した画像とは、たとえばその曲を歌う歌手の写真、その曲を作曲した作曲家の写真、その曲のアニメキャラクタの絵などである。人気のある歌手，作曲家，アニメキャラクタが印刷されたカードはいわゆるトレーディングカードとして収集，交換の対象となり広く普及するため、選曲可能なカードをカラオケ利用者に行き渡らせることができる。なお、選曲データはバーコード，磁気データなどどのような形式でカードに記録してもよい。
【０００８】
カード読取手段が上記選曲カードを読み取ったとき、そのカードに記録されている選曲データに基づいてカラオケ曲を選曲してカラオケ演奏を実行する。選曲データとして上記検索データが記録されていた場合には、その検索データの条件に適合するカラオケ曲を検索し、その検索結果を表示するか、またはその検索された曲を演奏する。
【０００９】
【発明の実施の形態】
図１はこの発明の実施形態であるカラオケ装置のブロック図である。このカラオケ装置は、選択入力されたカラオケ曲の楽曲データをハードディスクから読み出してカラオケ演奏を実行する。カラオケ曲の選択入力は、赤外線リモコン装置からキー入力で行うことができるほか、選曲データが記録されたトレーディングカードをカードリーダに読み取らせることによっても行うことができる。
【００１０】
図１において、カラオケ装置動作を制御するＣＰＵ１０には、ＲＯＭ１１，ＲＡＭ１２，ハードディスク記憶装置１３，通信インタフェース１４，カードリーダ１５，パネルインタフェース１６，音源２０，音声デコーダ２１，ハモリアンプ２２，エフェクタ２４，背景映像再生部３０，映像作成部３２，映像ミキサ３３などが接続されている。
【００１１】
前記通信インタフェース１４は、電話回線を介するホストコンピュータ３との通信を制御する。ホストコンピュータ３からは、新曲の楽曲データや選曲インデックステーブルなどがダウンロードされる。選曲インデックステーブルは、図２に示すようにカラオケ曲の曲番号と個別背景映像データ等との対応を指示するテーブルである。
【００１２】
ＲＯＭ１１にはこのカラオケ装置を起動するためのプログラムなどが記憶されている。ハードディスク１３には、上記楽曲データ，選曲インデックステーブルなどが記憶されているほか、システムプログラム，カラオケ演奏プログラム，ローダなどのプログラムおよび文字パターンデータが記憶されている。システムプログラムは、この装置の基本動作を制御するプログラムであり、カラオケ装置の起動時にＲＡＭ１２に読み込まれる。カラオケ演奏プログラムは、楽曲データに基づいて音源２０や音声デコーダ２１などを制御するためのプログラムである。ローダは配信センタ３から楽曲データや選曲インデックステーブルをダウンロードするためのプログラムである。文字パターンデータはコード情報として与えられる歌詞，曲名などのテキスト情報などを文字パターンに展開するためのデータである。ＲＡＭ１２には上記プログラムを読み込むエリアや現在演奏中の楽曲データおよび次に演奏する楽曲データを読み出すための楽曲データバッファが設定される。
【００１３】
パネルインタフェース１６は、赤外線リモコン装置（リモコン）５から送られてくる赤外線信号を受信してデータに変換する回路やパネルスイッチ，ディスプレイなどを接続している。ＣＰＵ１０は、リモコン５から入力された曲番号に基づいてカラオケ曲の予約を実行し、その他コマンドコードに基づいてキーチェンジなど種々の処理を実行する。上記ディスプレイは現在演奏中の曲番号や予約曲数などを表示するＬＥＤマトリクスまたは７セグメントの表示器を含んでいる。
【００１４】
音源２０は、シーケンサの制御のもと入力される楽曲データの楽音トラックのデータに基づいて対応する楽音を発生する。音声デコーダ２１は楽曲データに含まれる音声データを音声信号にデコードする。音声データは、音源で合成しにくいバックコーラスなどの人声をディジタル化したデータである。音源２０が発生した楽音および音声デコーダ２１が変換した音声信号はミキサ２３に出力される。また、ハモリアンプ２２にはマイク２５が接続されており、マイク２５から入力される歌唱音声信号を増幅してミキサ２３に入力するとともに、モードに応じてその歌唱音声信号をピッチシフトしてピッチずれを修正したり、ハモリ音を合成したりする。このハモリアンプ２２が出力する歌唱音声信号やハモリ音声信号もミキサ２３に入力される。ミキサ２３はこれらの信号を適当なバランスでミキシングし、エフェクタ２４に入力する。エフェクタ２４は上記楽曲データの効果制御データに基づいてこれらのカラオケ音信号に対してエコーなどの効果を付与する。効果が付与されたカラオケ演奏の音声信号は音響出力部２６から音響として出力される。
【００１５】
また、映像作成部３２はＶＲＡＭを有しており、ＣＰＵ１０は、歌詞トラックのイベントデータ（歌詞の文字コード，表示座標，表示色などを指示するデータ）に基づいてハードディスク１３から対応する文字パターンデータを読み出してこのＶＲＡＭ上に展開し、映像信号化する。この映像信号は映像ミキサ３３に入力される。
【００１６】
前記背景映像再生部３０は、ＣＤ−ＲＯＭチェンジャなどで構成されており、ＣＰＵ１０から指示された背景映像を再生する。再生した映像信号は映像ミキサ３３に出力される。映像ミキサ３３は、背景映像信号と歌詞の文字パターンとをスーパーインポーズで合成し、映像出力部３４に出力する。映像出力部３４はこの映像信号をＣＲＴモニタに表示する。
【００１７】
一方、カードリーダ１５は、上記トレーディングカードを読み取るものであり、自走式のカードリーダであってもよくハンドスキャナ式のカードリーダであってもよい。トレーディングカードの詳細は後述するが、ＣＰＵ１０は読み取ったトレーディングカードに記録されている選曲データに基づいてカラオケ曲の曲番号を予約登録する。
【００１８】
図２は、同カラオケ装置のハードディスクに記憶される選曲インデックステーブルの構成を示す図である。この選曲インデックステーブルは、各カラオケ曲毎に曲番号、曲名、オリジナル歌手、作曲家（国名）、作詞家、曲の発表日などのデータを１レコードとして記録したものである。なお、曲番号を６桁（ｘｘｘｘ−ｙｙ）で構成し、ｘｘｘｘを歌手コード、ｙｙをその歌手の曲番号として構成すれば、オリジナル歌手のデータを無くすこともできる。このデータは、曲番号以外で曲が指定されたとき、その曲番号を検索するために使用される。
【００１９】
図３は上記トレーディングカード２の構成を示す図である。トレーディングカード２は、表面（同図（Ａ））にカラオケ曲に関連した画像２ａを有し、裏面（同図（Ｂ））に選曲データ記憶エリア２ｂを備えている。この選曲データ記憶エリア２ｂにはバーコードで選曲データが表示（記録）されている。選曲データとしては、カラオケ曲と１対１で対応する曲番号のほか、カラオケ装置が該当するカラオケ曲を検索するための検索データが記録される。検索データとしては、「歌手○○の新曲」、「作曲家○○の最新曲」など歌手，作曲家を指定するものや、作曲年代を指定するものなどを採用することができる。そして、このような選曲データに関連する画像２ａは、そのカラオケ曲をイメージさせる画像であればよく、歌手や作曲家を特定するものであればその歌手，作曲家の写真，イラストなど、テレビアニメーションの主題歌であればそのアニメーションのキャラクタなどを用いればよい。歌手，作曲家，アニメキャラクタなどはいわゆるトレーディングカードとしてよく普及しているものであるため、この画像と選曲データとを組み合わせることにより、一般に流通するトレーディングカードを用いてカラオケ曲のリクエストをすることができる。このようなカードがカードリーダ１５に読み取られたとき、ＣＰＵ１０はその選曲データに基づいて上記選曲インデックステーブルを検索して１曲のカラオケ曲を決定し、それを予約リストに登録する。
【００２０】
また、上記トレーディングカードの表面下部には、曲名等表示欄２ｃが設けられている。この曲名等表示欄２ｃには、裏面の選曲データが指定する曲名や「○○の新曲」などの検索内容が表示される。また、この欄に曲番号を併記してもよい。
【００２１】
図４は、同カラオケ装置の動作を示すフローチャートである。このフローチャートはカラオケ曲の選曲動作を示すフローチャートである。まず、リモコン５の操作があるか（ｓ１）、カードリーダ１５がトレーディングカード２を受け付けたかを判断する（ｓ２）。リモコン５の操作があった場合には、その操作が選曲動作であるかを判断する（ｓ３）。選曲操作の場合には、その操作で入力される曲番号を読み取り（ｓ４）、この曲番号を予約順にリクエスト曲の曲番号を登録する予約リストに登録する（ｓ５）。リモコン５の操作が選曲操作でない場合には、対応する動作に進む。
【００２２】
カードリーダ１５がトレーディングカード２を受け付けた場合（ｓ２）には、そのカードのバーコード２ｂを読み取る（ｓ６）。読み取られたバーコードが曲番号を示すものか検索データを示すものかを判断する（ｓ７）。曲番号の場合にはその曲番号を予約リストに登録して（ｓ５）、動作を終了する。一方、読み取られたバーコードが曲番号ではなく検索データであった場合には（ｓ７）、その検索データを検索条件として前記選曲インデックステーブルを検索する（ｓ８）。この検索で読み出された曲番号を（ｓ９）、予約リストに登録して（ｓ５）、動作を終了する。
【００２３】
上記実施形態では、カードリーダをカラオケ装置本体に接続したが、カードリーダをリモコンに設けて、利用者が自分の手元のリモコンからカード入力できるようにしてもよい。
【００２４】
また、検索データは必ずしも１曲のみを抽出できるデータでなくてもよく、複数の曲を抽出するデータであってもよい。この場合、カラオケ装置はランダムにまたは何らかのルールに基づいて１曲を選択して予約リストに登録すればよい。
【００２５】
【発明の効果】
この発明によれば、トレーディングカードなどのカード媒体に選曲データを記録しておき、これをカラオケ装置に読み取らせることで選曲を可能にしたことにより、選曲が容易になるとともに、このカード媒体にそのカラオケ曲に関連した画像を印刷するようにしたことにより、媒体を見ることでその曲がどの曲かが直ぐにわかり、選曲を誤ることがない。
【図面の簡単な説明】
【図１】この発明の実施形態であるカラオケ装置のブロック図
【図２】同カラオケ装置に設定される選曲インデックステーブルの構成を示す図
【図３】同カラオケ装置に使用され、この発明の請求項１の実施形態であるトレーディングカードの構成を示す図
【図４】同カラオケ装置の動作を示すフローチャート
【符号の説明】
１…カラオケ装置、２…トレーディングカード、１５…カードリーダ
【図１】
0004092758.tif 000002
【図２】
0004092758.tif 000003
【図３】
0004092758.tif 000004
【図４】
0004092758.tif 000005